(57)【要約】【課題】  ワンオフモデルの流通を促進する、オンラインマーケットを実現する。【解決手段】  ワンオフモデル流通システムであって、第１のユーザ端末２Ａまたは第２のユーザ端末２Ｂにより実行される、デザイン情報Ｄ１に基づく製品化依頼処理、および、第２のユーザ端末２Ｂまたは第３のユーザ端末２Ｃにより実行される、プロダクト情報Ｄ２に対応付けられる製品の購入処理を受け付ける流通手段と、購入処理を最初に実行した第２のユーザ端末２Ｂに対し、当該製品の代理販売権限を設定する管理手段と、を有すること、を特徴とするワンオフモデル流通システム。【選択図】図２
2020098482.tif 000002
【特許請求の範囲】
【請求項１】
ワンオフモデル流通システムであって、
第１のユーザ端末または第２のユーザ端末により実行される、デザイン情報に基づく製品化依頼処理、および、前記第２のユーザ端末または第３のユーザ端末により実行される、プロダクト情報に対応付けられる製品の購入処理を受け付ける流通手段と、
前記購入処理を最初に実行した前記第２のユーザ端末に対し、当該製品の代理販売権限を設定する管理手段と、を有すること、
を特徴とするワンオフモデル流通システム。
【請求項２】
前記流通手段は、前記デザイン情報に対応付けられる前記第１のユーザ端末により実行される前記デザイン情報に対応付けられる前記製品の販売処理と、当該製品に対応付けられる、前記代理販売権限が設定された前記第２のユーザ端末により実行される、当該製品の前記販売処理と、を受け付けること、
を特徴とする請求項１に記載のワンオフモデル流通システム。
【請求項３】
前記管理手段は、前記製品の前記購入処理が前記第３のユーザ端末により実行された場合、当該製品に対応付けられる前記代理販売権限が設定された前記第２のユーザ端末に対し、報酬獲得権限を設定すること、
を特徴とする請求項１または２に記載のワンオフモデル流通システム。
【請求項４】
前記管理手段は、前記デザイン情報を、第１のデータベースに格納し、前記デザイン情報と、当該デザイン情報に対応する前記プロダクト情報と、を第２のデータベースに格納すること、
を特徴とする請求項１〜３のいずれかに記載のワンオフモデル流通システム。
【請求項５】
前記管理手段は、前記第１のユーザ端末または第２のユーザ端末により、前記第１のデータベースにおける前記デザイン情報に基づく前記製品化依頼処理が実行された場合、当該デザイン情報を前記第２のデータベースに移行すること、
を特徴とする請求項４に記載のワンオフモデル流通システム。
【請求項６】
ワンオフモデル流通システムであって、
前記第２のユーザ端末または第３のユーザ端末により実行される、前記デザイン情報に係る評価値入力処理を、受け付ける評価手段を有すること、
を特徴とする請求項５に記載のワンオフモデル流通システム。
【請求項７】
前記管理手段は、前記購入処理または販売処理を実行した複数の前記第２のユーザ端末または第３のユーザ端末により、前記評価値入力処理が実行された場合、当該デザイン情報を前記第２のデータベースに移行すること、
を特徴とする請求項６に記載のワンオフモデル流通システム。
【請求項８】
ワンオフモデル流通システムであって、
前記デザイン情報と、前記プロダクト情報と、を表示処理する表示手段を有し、
前記表示手段は、前記デザイン情報に対応付けられるテーマ情報、または、デザイナー情報に基づき、当該デザイン情報を表示処理すること、
を特徴とする請求項１〜７のいずれかに記載のワンオフモデル流通システム。
【請求項９】
ワンオフモデル流通方法であって、
第１のユーザ端末または第２のユーザ端末により実行される、デザイン情報に基づく製品化依頼処理、および、前記第２のユーザ端末または第３のユーザ端末により実行される、プロダクト情報に対応付けられる製品の購入処理と、を受け付ける流通ステップと、
前記購入処理を最初に実行した前記第２のユーザ端末に対し、当該製品の代理販売権限を設定する管理ステップを、コンピュータのプロセッサに実行させること、
を特徴とするワンオフモデル流通方法。
【請求項１０】
ワンオフモデル流通プログラムであって、コンピュータ装置を、
第１のユーザ端末または第２のユーザ端末により実行される、デザイン情報に基づく製品化依頼処理、および、前記第２のユーザ端末または第３のユーザ端末により実行される、プロダクト情報に対応付けられる製品の購入処理を、受け付ける流通手段と、
前記購入処理を最初に実行した前記第２のユーザ端末に対し、当該製品の代理販売権限を設定する管理手段と、として機能させること、
を特徴とするワンオフモデル流通プログラム。
【発明の詳細な説明】
【技術分野】
【０００１】
本発明は、ワンオフモデル流通システム、ワンオフモデル流通方法およびワンオフモデル流通プログラムに関する。
【背景技術】
【０００２】
ソーシャルメディアの発達に伴い、無形資産を含む創作物の市場価値がユーザ主導で決定される事例が増加している。コンテンツデータを一例とする当該創作物は、ユーザによる創作／編集を経てインターネット上に公開されるが、当該創作物の閲覧／使用への対価が創作者、製作者および流通者へ支払われている例は多くない。
【０００３】
特許文献１に記載のインターネットにおけるパッケージ共有管理方法は、他の人の趣向を仮想的に共有することで情報の質を高め、すばやく質の高いアイディア品(著作権物)や情報を入手できるようにすることを特徴としている。この組み合わせ（パッケージ）を他人から参照されることで、投稿者には報酬や評価が得られ、この組み合わせで投稿（推薦）する著作物は本人が購入、もしくは所有していることを前提（権利を購入するわけではなく、利用料金を支払うイメージ）とする。このとき、運営側は、このシステムにての広告収入、アフィリエイトレベニューシェアを得る構成となっている。
【先行技術文献】
【特許文献】
【０００４】
【特許文献１】特開２００９―１２３１０２号公報
【発明の概要】
【発明が解決しようとする課題】
【０００５】
ワンオフモデルの車両、もしくは、ビスポークパーツを含む車両用品を例にとると、当該車両／車両用品のデザイン案に係る流通の障壁は、製品化／実体化である。当該障壁に備えられる問題点は、製品化／実体化が実現されたとしても、製品化／実体化に係るコストが回収されない恐れがある点といえる。
【０００６】
有形資産へ昇華され得る無形資産の内、当該有形資産の創出に多大なコストを要する場合、当該創出に係るコストの回収を保証するフレームワークが求められる。しかしながら、当該フレームワークに係る観点を十分に備えるオンラインマーケットは多くない。
【０００７】
本発明は、上記のような実情に鑑みてなされたものであり、ワンオフモデル創出／流通のためのコスト回収を保証するオンラインマーケットの実現を、解決すべき課題とする。
【課題を解決するための手段】
【０００８】
上記課題を解決するために、本発明は、ワンオフモデル流通システムであって、第１のユーザ端末または第２のユーザ端末により実行される、第１のユーザ端末により入力されサーバ装置に格納されたデザイン情報に基づく製品化依頼処理、および、第２のユーザ端末または第３のユーザ端末により実行される、第１のユーザ端末により入力されサーバ装置に格納されたプロダクト情報に対応付けられる製品の購入処理を、サーバ装置にて受け付ける流通手段と、購入処理を最初に実行した第２のユーザ端末に対し、当該製品の代理販売権限を設定する管理手段と、を有すること、を特徴とする。
このような構成とすることで、オンラインマーケットにおけるワンオフモデルに係る流通を促進し、ワンオフモデル創出／流通のためのコスト回収を、好適に実現する。
また、このような構成とすることで、プロダクト情報に基づく商取引を実行可能なユーザ端末の種別を制限し、ワンオフモデル流通システムのデータベース負荷を軽微にできる、というさらなる技術的効果を奏する。
【０００９】
本発明の好ましい形態では、流通手段は、デザイン情報に対応付けられる第１のユーザ端末により実行されるデザイン情報に対応付けられる製品の販売処理と、当該製品に対応付けられる代理販売権限が設定された第２のユーザ端末により実行される当該製品の販売処理と、をサーバ装置にて受け付けること、を特徴とする。
このような構成とすることで、オンラインマーケットにおけるワンオフモデルの流通を促進し、ワンオフモデル創出のためのコスト回収を好適に実現する。
また、このような構成とすることで、プロダクト情報に基づく商取引を実行可能なユーザ端末の種別を制限し、ワンオフモデル流通システムのデータベース負荷を軽微にできる、というさらなる技術的効果を奏する。
【００１０】
本発明の好ましい形態では、管理手段は、製品の購入処理が第３のユーザ端末により実行された場合、製品に対応付けられる代理販売権限が設定された第２のユーザ端末に対し、報酬獲得権限を設定すること、を特徴とする。
このような構成とすることで、オンラインマーケットにおけるワンオフモデルの流通を促進し、ワンオフモデル創出のためのコスト回収を好適に実現する。
また、このような構成とすることで、報酬獲得権限の実行条件となる購入処理の実行元であるユーザ端末の種別を制限し、ワンオフモデル流通システムのデータベース負荷を軽微にする、というさらなる技術的効果を奏する。
【００１１】
本発明の好ましい形態では、管理手段は、第１のユーザ端末により入力されたデザイン情報を、サーバ装置における第１のデータベースに格納し、デザイン情報と、当該デザイン情報に対応するプロダクト情報と、をサーバ装置における第２のデータベースに格納すること、を特徴とする。
このような構成とすることで、無形資産または有形資産の情報を異なるデータベースで管理することができ、好適なワンオフモデル流通システムを実現できる。
また、このような構成とすることで、デザイン情報と、プロダクト情報と、を異なるデータベースにおいて管理し、ワンオフモデル流通システムにおけるデータベースの負荷分散を実現できる、というさらなる技術的効果を奏する。
【００１２】
本発明の好ましい形態では、管理手段は、第１のユーザ端末または第２のユーザ端末により、第１のデータベースにおけるデザイン情報に基づく製品化依頼処理が実行された場合、当該デザイン情報を第２のデータベースに移行すること、を特徴とする。
このような構成とすることで、無形資産または有形資産の情報を異なるデータベースで管理することができ、好適なワンオフモデル流通システムを実現できる。
また、このような構成とすることで、ユーザ端末による製品化依頼処理に基づき異なるデータベース間におけるデータ移行が実行され、ワンオフモデル流通システムに係るデータベース負荷分散の不均一化を抑止できる、というさらなる技術的効果を奏する。
【００１３】
本発明の好ましい形態では、ワンオフモデル流通システムであって、第２のユーザ端末または第３のユーザ端末により実行される、デザイン情報に係る評価値入力処理を、サーバ装置にて受け付ける評価手段を有すること、を特徴とする。
このような構成とすることで、ユーザ投票による人気のデザイン情報を可視化でき、好適なワンオフモデル流通システムを実現できる。
また、このような構成とすることで、デザイン情報の評価値入力を実行可能なユーザ端末の種別を制限し、ワンオフモデル流通システムのデータベース負荷を軽微にする、というさらなる技術的効果を奏する。
【００１４】
本発明の好ましい形態では、管理手段は、購入処理または販売処理を実行した複数の第２のユーザ端末または第３のユーザ端末により、評価値入力処理が実行された場合、当該デザイン情報を第２のデータベースに移行すること、を特徴とする。
このような構成とすることで、ワンオフモデル流通システムにおける取引実績を有さない不特定多数のユーザ端末により実行される不正な評価値入力を抑止し、デザイン情報の評価に係る透明性を担保できる。
また、このような構成とすることで、デザイン情報の評価値入力処理を実行可能なユーザ端末の種別を制限し、ワンオフモデル流通システムのデータベース負荷を軽微にできる、というさらなる技術的効果を奏する。
【００１５】
本発明の好ましい形態では、ワンオフモデル流通システムであって、デザイン情報と、プロダクト情報とを、第１のユーザ端末、第２のユーザ端末および第３のユーザ端末にて表示処理する表示手段を、有し、表示手段は、デザイン情報に対応付けられるテーマ情報、または、デザイナー情報に基づき、当該デザイン情報を、第１のユーザ端末、第２のユーザ端末および第３のユーザ端末にて表示処理すること、を特徴とする。
このような構成とすることで、オンラインマーケットにおけるデザイン情報の表示処理を、ユーザのニーズに合わせて実現できる。
また、このような構成とすることで、デザイン情報と、プロダクト情報と、を異なるデータベースにおいて管理し、テーマ情報およびデザイナー情報を含む付加情報に基づき、ユーザインタフェースに係る表示処理におけるオブジェクト数を抑制し、オブジェクトデータ参照先のデータベースの負荷を軽微にする、というさらなる技術的効果を奏する。
【００１６】
本発明は、ワンオフモデル流通方法であって、第１のユーザ端末または第２のユーザ端末により実行される、第１のユーザ端末により入力されサーバ装置に格納されたデザイン情報に基づく製品化依頼処理、および、第２のユーザ端末または第３のユーザ端末により実行される、第１のユーザ端末により入力され前記サーバ装置に格納されたプロダクト情報に対応付けられる製品の購入処理を、サーバ装置にて受け付ける流通ステップと、購入処理を最初に実行した第２のユーザ端末に対し、当該製品の代理販売権限を設定する管理ステップと、をコンピュータのプロセッサに実行させること、を特徴とする。
【００１７】
本発明は、ワンオフモデル流通プログラムであって、コンピュータを、第１のユーザ端末または第２のユーザ端末により実行される、第１のユーザ端末により入力されサーバ装置に格納されたデザイン情報に基づく製品化依頼処理、および、第２のユーザ端末または第３のユーザ端末により実行される、第１のユーザ端末により入力されサーバ装置に格納されたプロダクト情報に対応付けられる製品の購入処理を、サーバ装置にて受け付ける流通手段と、購入処理を最初に実行した第２のユーザ端末に対し、当該製品の代理販売権限を設定する管理手段と、として機能させること、を特徴とする。
【００１８】
本発明によれば、ワンオフモデルの創出と流通とを好適に実現する、オンラインマーケットを、実現できる。
【図面の簡単な説明】
【００１９】
【図１】本発明の実施形態に係る機能ブロック図およびハードウェア構成図を示す。
【図２】本発明の実施形態に係るワンオフモデル流通システムの概要図および処理フローチャートを示す。
【図３】本発明の実施形態に係るデザイン情報およびプロダクト情報の概要図を示す。
【発明を実施するための形態】
【００２０】
以下、図面を用いて、本発明に係るワンオフモデル流通システム１について説明する。なお、以下に示す実施形態は本発明の一例であり、本発明を以下の実施形態に限定するものではなく、様々な構成を採用することもできる。
【００２１】
本実施形態では、ワンオフモデル流通システム１の構成、動作などについて説明するが、同様の構成の方法、コンピュータ装置、コンピュータプログラム、記録媒体なども、同様の作用効果を奏することができる。また、プログラムは、記録媒体に記憶させてもよい。この記録媒体を用いれば、例えばコンピュータ装置にプログラムをインストールすることができる。ここで、プログラムを記憶した記録媒体は、例として、ＣＤ−ＲＯＭ等の非一過性の記録媒体であってもよい。
【００２２】
本実施形態では、ワンオフモデル流通システム１が車両または車両用品の流通のために用いられる場合について例示するが、ワンオフモデル流通システム１が利用されるサービス形態に制限はない。
【００２３】
また、本実施形態では、ワンオフモデル流通システム１に係る通知処理は、ユーザ端末２に記憶したアプリケーションを用いて行う、当該通知処理はこれに限らず、例えば、ユーザ端末２に紐付けられたメールアドレスに対する電子メール送信により実現される構成としてもよい。
【００２４】
図１は、本実施形態に係るハードウェア構成図を示す。ワンオフモデル流通システム１は、ユーザ端末２と、サーバ装置３と、を備える。なお、第１のユーザ端末２Ａ、第２のユーザ端末２Ｂおよび第３のユーザ端末２Ｃは、ユーザ端末２と同様のハードウェア構成を備える。
【００２５】
本実施形態において、ユーザ端末２は、演算装置２０１と、主記憶装置２０２と、補助記憶装置２０３と、入力装置２０４と、出力装置２０５と、通信装置２０６と、相互接続のためのバスインタフェースと、を備える。また、本実施形態において、サーバ装置３は、演算装置３０１と、主記憶装置３０２と、補助記憶装置３０３と、通信装置３０４と、バスインタフェースと、を備える。
【００２６】
本実施形態における演算装置２０１および３０１は、命令セットを実行可能なプロセッサを備える。本実施形態における主記憶装置２０２および３０２は、ＲＡＭ（Ｒａｎｄｏｍ  Ａｃｃｅｓｓ  Ｍｅｍｏｒｙ）を一例とする揮発性メモリを備える。
【００２７】
本実施形態における補助記憶装置２０３および３０３は、一例として、不揮発性メモリを備え、その記録方式に制限はない。本実施形態における補助記憶装置２０３には、オペレーティングシステム（ＯＳ）２００１が記録されている。本実施形態における補助記憶装置３０３には、オペレーティングシステム（ＯＳ）３００１と、ＯＳ３００１と協調してその機能を発揮するワンオフモデル流通プログラム３００２と、が記録されている。
【００２８】
本実施形態における入力装置２０４は、一例として、タッチパネルを備え、その入力方式に制限はない。本実施形態における出力装置２０５は、描画情報を保持するためのフレームバッファとしてビデオメモリを備え、また、ディスプレイ装置を備える。
【００２９】
本実施形態におけるデザイン情報Ｄ１の格納先である第１のデータベースＤＢ１と、デザイン情報Ｄ１およびプロダクト情報Ｄ２の格納先である第２のデータベースＤＢ２と、第３のデータベースＤＢ３は、それぞれ、サーバ装置３における異なる複数の補助記憶装置３０３に対応付けられる構成としてもよい。このとき、当該補助記憶装置３０３と演算装置３０１とは、ネットワークＮＷを介して通信する構成としてもよい。
【００３０】
本実施形態では、演算装置２０１及び主記憶装置２０２を少なくとも含む、ＳｏＣ（Ｓｙｓｔｅｍ−ｏｎ−Ｃｈｉｐ）が、ユーザ端末２に備えられている構成としてもよい。このとき、当該ＳｏＣには、一例として、特定用途に最適化された集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、が備えられる構成としてもよい。
【００３１】
本実施形態における通信装置２０６および３０４は、ＬＡＮを介した通信を行うために用いられる。当該通信は、Ｗｉ−Ｆｉ（登録商標）等の無線通信規格に基づく。通信媒体は、電波、音波及び光波等が利用でき、その種別に制限はない。
【００３２】
本実施形態における通信装置２０６および３０４は、イーサネット（登録商標）を一例とする有線通信規格を用いる構成としてもよい。またワンオフモデル流通システム１は、通信プロトコルにＴＣＰ／ＩＰ等を用いてデータ通信ができる。なお、ネットワークＮＷは、ＣＡＴＶ回線や、外出体通信網、航空通信網、衛星通信網等、種々の回線を利用することができ、その通信方式に制限はない。
【００３３】
本実施形態では、ユーザ端末２は、アプリケーションに代え、又は加えて、ワンオフモデル流通システム用のウェブページを利用する為の、ウェブブラウザアプリケーションや、通知を確認する為のメーラーアプリケーションを記憶する、という構成にしてもよい。
【００３４】
本実施形態では、ユーザ端末２は、入力手段２１を有し、サーバ装置３は、表示手段３１、評価手段３２、流通手段３３および管理手段３４を有する。
【００３５】
図２（ａ）および図２（ｂ）は、ワンオフモデル流通システム１の概要図を示す。図２（ｃ）は、ワンオフモデル流通システム１の処理フローチャート図の一例を示す。以下より、本実施形態における入力手段２１、表示手段３１、評価手段３２、流通手段３３および管理手段３４に係る機能を、図２を交えて、説明する。
【００３６】
入力手段２１は、デザイン情報Ｄ１およびプロダクト情報Ｄ２の入力処理と、製品化依頼処理、購入処理、販売処理および評価値入力処理に係る入力処理と、のために用いられる。本実施形態における入力手段２１を用いて実行される入力処理は、ネットワークＮＷおよびＡＰＩを介して行われる構成としてもよい。本実施形態では、まず、デザイン情報Ｄ１の入力処理が第１のユーザ端末２Ａにより実行される（ステップＳ１０）。
【００３７】
表示手段３１は、第１のユーザ端末２Ａにより入力されサーバ装置３に格納されたデザイン情報Ｄ１およびプロダクト情報Ｄ２を、出力装置２０５を用いて表示処理する。本実施形態における表示処理は、ＨＴＭＬを例とするマークアップ言語に基づき構成されたウェブページにて行われる構成としてもよい。本実施形態では、デザイン情報Ｄ１またはプロダクト情報Ｄ２に対応付けられる情報が、表示オブジェクトとして表示処理される。
【００３８】
表示手段３１は、第１のデータベースＤＢ１におけるデザイン情報Ｄ１、または、第２のデータベースＤＢ２におけるデザイン情報Ｄ１を、第１のユーザ端末２Ａ、第２のユーザ端末２Ｂおよび第３のユーザ端末２Ｃにて表示処理する。このとき、表示手段３１は、テーマ情報、デザイナー情報および評価値の少なくとも１つに基づき、デザイン情報Ｄ１を、第１のユーザ端末２Ａ、第２のユーザ端末２Ｂおよび第３のユーザ端末２Ｃにて表示処理する。
【００３９】
本実施形態では、所定期間毎に、ワンオフモデル流通システム１の管理者により入力処理される所定のテーマ情報に対応付けられるデザイン情報Ｄ１と、当該デザイン情報Ｄ１に対応付けられるプロダクト情報Ｄ２と、が表示手段３１により表示処理される構成としてもよい。
【００４０】
評価手段３２は、第２のユーザ端末２Ｂまたは第３のユーザ端末２Ｃによるデザイン情報Ｄ１に係る評価値入力処理を、サーバ装置３にて受け付ける。当該評価値入力処理における評価値は、２値の態様でもよいし、多段階の値を示す態様であってもよい。
【００４１】
本実施形態では、ワンオフモデル流通システム１における購入処理／販売処理を実行した第２のユーザ端末２Ｂ、または、当該購入処理／販売処理を実行した第３のユーザ端末２Ｃが、評価値入力処理を実行できる構成が好ましい。このとき、当該購入処理／販売処理を実行したか否かの判定は、ユーザ端末２に対応付けられるユーザ取引実績に基づき行われる構成が好ましい。当該ユーザ取引実績にかかる情報には、当該ユーザ端末２が実行した購入処理および販売処理に係る情報が対応付けられる。評価値および評価値に対応付けられる各種情報は、評価情報として、第１のデータベースＤＢ１に格納される。
【００４２】
流通手段３３は、デザイン情報Ｄ１の製品化依頼処理に係る入力を受け付ける。製品化依頼処理は、製品化依頼処理を実行した第２のユーザ端末２Ｂに対応する支払情報に紐付けられ、所定額の決済依頼処理と併せて実行される構成が好ましい。当該決済依頼処理は、課金の態様で、ワンオフモデル流通システム１の管理者を支払先として行われる。
【００４３】
支払情報は、ユーザ端末２に対応付けられるクレジットカード情報、口座情報および分散型台帳における公開鍵に対応するアドレスの少なくとも１つを有する。決済依頼処理は、当該支払情報に対応付けられる外部サービスに対して実行される。流通手段３３は、決済完了の通知を受信した場合、デザイン情報Ｄ１に係る製品化依頼処理の受付フラグを更新する。
【００４４】
管理手段３４は、第１のユーザ端末２Ａにより入力処理されたデザイン情報Ｄ１を、第１のデータベースＤＢ１に格納し、当該デザイン情報Ｄ１と、当該デザイン情報Ｄ１に対応する製品のプロダクト情報Ｄ２とを、第２のデータベースＤＢ２に格納する。
【００４５】
管理手段３４は、第１のデータベースＤＢ１におけるデザイン情報Ｄ１の製品化依頼処理に係る受付フラグが更新された場合、デザイン情報Ｄ１を第２のデータベースＤＢ２に移行する（ステップＳ２０でＹｅｓ（Ｙ）、ステップＳ３０）。このとき、第１のデータベースＤＢ１における当該デザイン情報Ｄ１は削除され、当該デザイン情報Ｄ１は第２のデータベースＤＢ２に格納される。
【００４６】
本実施形態では、デザイン情報Ｄ１の評価値入力処理を実行した第２のユーザ端末２Ｂまたは第３のユーザ端末２Ｃの数（ｍ）が所定数（Ｍ）を超えた場合（ｍ＞Ｍ）、当該デザイン情報Ｄ１の第２のデータベースＤＢ２への移行が実行される構成としてもよい。本実施形態における所定数（Ｍ）は、好ましくは１以上、より好ましくは１００以上である。製品化依頼処理が実行されなかった場合、または、評価値入力処理を実行した第２のユーザ端末２Ｂおよび第３のユーザ端末２Ｃの数（ｍ）が所定数（Ｍ）を超えなかった場合（ステップＳ２０でＮｏ（Ｎ））、ステップＳ２０直前の状態に遷移する。
【００４７】
デザイン情報Ｄ１が第２のデータベースＤＢ２に移行された場合、管理手段３４は、第１のユーザ端末２Ａにより入力処理されたプロダクト情報Ｄ２を、第２のデータベースＤＢ２に格納する（ステップＳ４０）。
【００４８】
流通手段３３は、購入処理および販売処理に係る入力処理を受け付ける。購入処理および販売処理は、プロダクト情報Ｄ２に対応付けられる構成が好ましい。
【００４９】
購入処理は、購入処理を実行した第２のユーザ端末２Ｂまたは第３のユーザ端末２Ｃに対応する支払情報の入力処理を含む構成としてもよい。販売処理は、販売処理を実行した第２のユーザ端末２Ｂに対応付けられる支払情報の入力処理を含む構成としてもよい。
【００５０】
流通手段３３は、第１のユーザ端末２Ａによる販売処理と、代理販売権限が設定された第２のユーザ端末２Ｂによる販売処理と、を受け付ける。購入処理および販売処理の双方が、同一のプロダクト情報Ｄ２に基づいて行われた場合、流通手段３３は購入処理を実行したユーザ端末２に対応付けられる支払情報に基づき決済依頼処理を行い、プロダクト情報Ｄ２に対応付けられる製品の売買が完了する（ステップＳ５０）。
【００５１】
本実施形態における購入処理および販売処理は、電子商取引の一態様であり、当該製品に係る購入／販売の意思入力を含む。流通手段３３により購入処理が受け付けられた場合、流通手段３３は、サーバ装置３に格納される当該製品に係る注文フラグの更新と、販売元である第１のユーザ端末２Ａまたは第２のユーザ端末２Ｂへの通知処理と、を行う。このとき、当該製品の売買に係る支払いは、エスクローサービスの態様で、ワンオフモデル流通システム１の管理者がエスクロー事業者として行われる構成としてもよい。
【００５２】
管理手段３４は、第１のデータベースＤＢ１または第２のデータベースＤＢ２におけるデザイン情報Ｄ１およびプロダクト情報Ｄ２の格納を、ＫＶＳの態様で行う。管理手段３４は、製品の購入処理を最初に実行した第２のユーザ端末２Ｂに対し、当該製品の代理販売権限を設定する（ステップＳ６０でＹｅｓ（Ｙ）、ステップＳ７０）。
【００５３】
代理販売権限の設定は、デザイン情報Ｄ１に対し、購入処理を最初に実行した第２のユーザ端末２Ｂを対象として実行される構成が好ましい。第２のユーザ端末２Ｂが、最初に製品の購入処理を行ったユーザ端末２でなかった場合（ステップＳ６０でＮｏ（Ｎ））、ステップＳ７０以降の状態に遷移する。
【００５４】
本実施形態において、最初に購入処理を実行できる第２のユーザ端末２Ｂは、デザイン情報Ｄ１に係る製品化依頼処理を実行した、または、最初の製品化依頼処理を実行した第２のユーザ端末２Ｂである構成としてもよい。
【００５５】
本実施形態において、製品の販売処理が前記第２のユーザ端末２Ｂによって行われ、製品の購入処理が前記第３のユーザ端末２Ｃにより実行されることを転機として、当該第２のユーザ端末２Ｂに対し、報酬獲得権限を設定する。当該報酬獲得権限の設定は、デザイン情報Ｄ１に対し代理販売権限が設定された第２のユーザ端末２Ｂを、報酬獲得権限の設定先として更新する態様で、実行される構成が好ましい。
【００５６】
本実施形態では、デザイン情報Ｄ１は販売価格、販売利益率および報酬設定に係る情報が含まれる。本実施形態における、代理販売権限が設定された第２のユーザ端末２Ｂが実行した販売処理による製品の実販売価格は、好ましくは、販売価格および販売利益率の積となる。このとき、当該第２のユーザ端末２Ｂに対応付けられる報酬量は、当該報酬設定に係る情報に基づき決定され、好ましくは、販売価格および実販売価格との差分価格以下となり、さらに好ましくは、販売価格および実販売価格との差分価格の半額以下となる。なお、当該製品に係る報酬量は、当該製品の購入数に比例する構成が好ましい。
【００５７】
図３は、デザイン情報Ｄ１およびプロダクト情報Ｄ２に含まれる情報を図示している。
【００５８】
デザイン情報Ｄ１は、デザイン識別子、ユーザ識別子、テーマ識別子、アイテム識別子、メディア識別子、サイズ識別子、販売価格、販売利益率、報酬設定、および、製品化依頼処理のフラグに対応付けられる。プロダクト情報Ｄ２には、製品（プロダクト）識別子、デザイン識別子、代理販売権の設定先ユーザを示すユーザ識別子が含まれる。
【００５９】
デザイン情報Ｄ１に対応付けられるメディアデータは、例として、車両／車両用品のコンピュータグラフィックス描画のためのモデルデータ、またはラフデザインの画像データ（アイテム画像）を含む構成としてもよいし、動画データ（アイテムデータ）を含む構成としてもよい。
【００６０】
デザイン情報Ｄ１には、テーマ情報ならびにデザイナー情報が対応付けられる構成が好ましい。テーマ情報はテーマ識別子に対応し、例として、年代で分類されるクラシックカー／クラシックカー部品に係る情報を指す。デザイナー情報は、デザインの考案者／製作者としてのユーザを特定するバイオグラフィーに対応付けられるユーザ識別子を指す。アイテム識別子には、アイテム分類情報およびアイテム互換情報が対応付けられる。サイズ識別子には、サイズ情報が対応付けられる。また、デザイン識別子には、評価情報が対応付けられる。
【００６１】
本実施形態における、ユーザ識別子に対応付けられる情報は、第１のデータベースＤＢ１、第２のデータベースＤＢ２および第３のデータベースＤＢ３のいずれかに格納される構成が好ましい。このとき、第３のデータベースＤＢ３は、好ましくは、デザイン情報Ｄ１におけるメディア識別子と対応付けられるメディアデータを有する。
【００６２】
本実施形態における第１のユーザ端末２Ａ、第２のユーザ端末２Ｂおよび第３のユーザ端末２Ｃは、それぞれ、１以上のユーザ端末２を指す。また、異なるデザイン情報Ｄ１において、第１のユーザ端末２Ａは、第２のユーザ端末２Ｂまたは第３のユーザ端末２Ｃとして、ワンオフモデル流通システム１に係る機能を実現する構成としてもよい。
【００６３】
本実施形態における第１のユーザ端末２Ａ、第２のユーザ端末２Ｂおよび第３のユーザ端末２Ｃは、それぞれ、ユーザ識別子に対応付けられる。このとき、当該ユーザ識別子は、１以上のユーザ端末２に対応付けられる構成としてもよく、第１のユーザ端末２Ａ、第２のユーザ端末２Ｂおよび第３のユーザ端末２Ｃに対応付けられる情報は、当該ユーザ識別子に対応付けられる。
【００６４】
本発明によれば、ワンオフモデルの流通を促進できる。
【符号の説明】
【００６５】
１  ワンオフモデル流通システム
２  ユーザ端末
２Ａ  第１のユーザ端末
２Ｂ  第２のユーザ端末
２Ｃ  第３のユーザ端末
３  サーバ装置
２１  入力手段
３１  表示手段
３２  評価手段
３３  流通手段
３４  管理手段
２０１、３０１  演算装置
２０２、３０２  主記憶装置
２０３、３０３  補助記憶装置
２０４  入力装置
２０５  出力装置
２０６、３０４  通信装置
２００１、３００１  オペレーティングシステム（ＯＳ）
３００２  ワンオフモデル流通プログラム
３００３  アプリケーションプログラミングインタフェース（ＡＰＩ）
Ｄ１  デザイン情報
Ｄ２  プロダクト情報
ＤＢ１  第１のデータベース
ＤＢ２  第２のデータベース
ＤＢ３  第３のデータベース
ＮＷ  ネットワーク
Ｓ１０、Ｓ２０、Ｓ３０、Ｓ４０、Ｓ５０、Ｓ６０、Ｓ７０  ステップ
【図１】
2020098482.tif 000003
【図２】
2020098482.tif 000004
【図３】
2020098482.tif 000005